【事件の表示】
　特願２０１５−１７５４４４「遊技機」拒絶査定不服審判事件〔平成２８年　１月１４日出願公開、特開２０１６−　　５６６４〕について、次のとおり審決する。
【結　論】
　本件審判の請求は、成り立たない。
【理　由】
第１　手続の経緯　
　本願は、平成２２年７月２７日に出願された特願２０１０−１６８６７６号の一部を平成２５年９月３日に出願した特願２０１３−１８１９０５号の一部を平成２７年９月７日に新たに特許出願したものであって、平成２８年７月２５日付けで拒絶理由通知がなされ、同年９月２１日付けで意見書及び手続補正書が提出され、平成２９年３月９日付け（発送日：平成２９年３月１４日付け）で拒絶査定がなされ、これに対し平成２９年５月２３日付けで拒絶査定不服審判の請求がされるとともに、手続補正書が提出されたものである。
　　
第２　平成２９年５月２３日付け手続補正及びその適否について
上記手続補正により、本願の請求項は
補正前（平成２８年９月２１日付け手続補正）の
「【請求項１】
　遊技者が遊技を行うことが可能な遊技機であって、
　制御を行う際に発生する変動データを記憶する変動データ記憶手段と、
　操作に応じて操作信号を出力する初期化操作手段と、
　電力供給が開始されたときに、前記初期化操作手段からの前記操作信号が入力されたことにもとづいて、前記変動データ記憶手段の記憶内容を初期化する初期化処理を実行する初期化処理実行手段と、
　付与条件が成立したことにもとづいて、遊技媒体の付与を実行する付与実行手段と、
　前記付与条件が成立したときに、当該付与条件の成立により遊技媒体の付与予定数が所定数に達することを示す条件成立信号を外部に出力するとともに、付与済みの遊技媒体の数が特定数に達したことを示す付与済信号を外部に出力する信号外部出力手段と、
　所定のエラーが発生しているか否かを判定するエラー判定手段と、
　少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段とを備え、
　前記セキュリティ信号外部出力手段は、前記初期化処理実行手段によって前記初期化処理が実行されたときと前記エラー判定手段によって前記所定のエラーが発生していると判定されたときとで、共通の出力端子から前記セキュリティ信号を外部に出力する
　ことを特徴とする遊技機。
【請求項２】
　遊技媒体が入賞可能な入賞領域に対応して設けられ、遊技媒体を検出する第１検出手段および第２検出手段と、
　前記第１検出手段にて検出された遊技媒体数と前記第２検出手段にて検出された遊技媒体数との差が所定の閾値を超えたときに、前記入賞領域への入賞異常が生じたと判定する異常判定手段とを備え、
　前記所定の閾値を、前記第１検出手段と前記第２検出手段との間に複数の遊技媒体が滞留した状態となったときの前記第１検出手段における遊技媒体の検出数と前記第２検出手段における遊技媒体の検出数との差分よりも多い値とした
　請求項１記載の遊技機。」
から
補正後（平成２９年５月２３日付け手続補正）の
「【請求項１】
　遊技者が遊技を行うことが可能な遊技機であって、
　制御を行う際に発生する変動データを記憶する変動データ記憶手段と、
　操作に応じて操作信号を出力する初期化操作手段と、
　電力供給が開始されたときに、前記初期化操作手段からの前記操作信号が入力されたことにもとづいて、前記変動データ記憶手段の記憶内容を初期化する初期化処理を実行する初期化処理実行手段と、
　付与条件が成立したことにもとづいて、遊技媒体の付与を実行する付与実行手段と、
　前記付与条件が成立したときに、当該付与条件の成立により遊技媒体の付与予定数が所定数に達することを示す条件成立信号を外部に出力するとともに、付与済みの遊技媒体の数が特定数に達したことを示す付与済信号を外部に出力する信号外部出力手段と、
　所定のエラーが発生しているか否かを判定するエラー判定手段と、
　少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段とを備え、
　前記セキュリティ信号外部出力手段は、前記初期化処理実行手段によって前記初期化処理が実行されたときと前記エラー判定手段によって前記所定のエラーが発生していると判定されたときとで、共通の出力端子から前記セキュリティ信号を外部に出力する
　ことを特徴とする遊技機。
【請求項２】
　
遊技者が遊技を行うことが可能な遊技機であって、
　
制御を行う際に発生する変動データを記憶する変動データ記憶手段と、
　
操作に応じて操作信号を出力する初期化操作手段と、
　遊技媒体が入賞可能な入賞領域に対応して設けられ、遊技媒体を検出する第１検出手段および第２検出手段と、
　
電力供給が開始されたときに、前記初期化操作手段からの前記操作信号が入力されたことにもとづいて、前記変動データ記憶手段の記憶内容を初期化する初期化処理を実行する初期化処理実行手段と、
　
付与条件が成立したことにもとづいて、遊技媒体の付与を実行する付与実行手段と、
　
前記付与条件が成立したときに、当該付与条件の成立により遊技媒体の付与予定数が所定数に達することを示す条件成立信号を外部に出力するとともに、付与済みの遊技媒体の数が特定数に達したことを示す付与済信号を外部に出力する信号外部出力手段と、
　
所定のエラーが発生しているか否かを判定するエラー判定手段と、
　
少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段と、
　前記第１検出手段にて検出された遊技媒体数と前記第２検出手段にて検出された遊技媒体数との差が所定の閾値を超えたときに、前記入賞領域への入賞異常が生じたと判定する
入賞
　
前記セキュリティ信号外部出力手段は、前記初期化処理実行手段によって前記初期化処理が実行されたときと前記エラー判定手段によって前記所定のエラーが発生していると判定されたときとで、共通の出力端子から前記セキュリティ信号を外部に出力するとともに、前記初期化処理実行手段によって前記初期化処理が実行されたことにもとづいて前記セキュリティ信号を出力しているときに、前記エラー判定手段によって前記所定のエラーが発生していると判定された場合には、前記セキュリティ信号の出力期間を延長し、
　前記所定の閾値を、前記第１検出手段と前記第２検出手段との間に複数の遊技媒体が滞留した状態となったときの前記第１検出手段における遊技媒体の検出数と前記第２検出手段における遊技媒体の検出数との差分よりも多い値とした
　
ことを特徴とする
と補正された（下線は補正箇所を示す）。
　本件補正は、補正前の特許請求の範囲の請求項２を、補正前の特許請求の範囲の請求項１の記載を加入して独立形式の請求項に変更するとともに、「前記セキュリティ信号外部出力手段」について「
前記初期化処理実行手段によって前記初期化処理が実行されたことにもとづいて前記セキュリティ信号を出力しているときに、前記エラー判定手段によって前記所定のエラーが発生していると判定された場合には、前記セキュリティ信号の出力期間を延長し、」
　そして、補正後の請求項１−２に記載された発明は、補正前の請求項１−２に記載された発明と、産業上の利用分野及び解決しようとする課題が同一である。 
　よって、本件補正は、特許法第１７条の２第５項第２号に規定する限定的減縮を目的とするものに該当し、本件補正は新規事項を追加するものではないことから、本件補正は適法な補正である。
第３　本願発明
　本願は、平成２９年５月２３日付け手続補正書により補正されたものであって、その請求項１に係る発明（以下本願発明という）は、同日付手続補正書により補正された特許請求の範囲のうち、請求項１に記載される、以下のとおりのものである（ただし、記号Ａ−Ｉは請求項の記載を分説するために当審において便宜上付した）。
「【請求項１】
　Ａ　遊技者が遊技を行うことが可能な遊技機であって、
　Ｂ　制御を行う際に発生する変動データを記憶する変動データ記憶手段と、
　Ｃ　操作に応じて操作信号を出力する初期化操作手段と、
　Ｄ　電力供給が開始されたときに、前記初期化操作手段からの前記操作信号が入力されたことにもとづいて、前記変動データ記憶手段の記憶内容を初期化する初期化処理を実行する初期化処理実行手段と、
　Ｅ　付与条件が成立したことにもとづいて、遊技媒体の付与を実行する付与実行手段と、
　Ｆ　前記付与条件が成立したときに、当該付与条件の成立により遊技媒体の付与予定数が所定数に達することを示す条件成立信号を外部に出力するとともに、付与済みの遊技媒体の数が特定数に達したことを示す付与済信号を外部に出力する信号外部出力手段と、
　Ｇ　所定のエラーが発生しているか否かを判定するエラー判定手段と、
　Ｈ　少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段とを備え、
　Ｉ　前記セキュリティ信号外部出力手段は、前記初期化処理実行手段によって前記初期化処理が実行されたときと前記エラー判定手段によって前記所定のエラーが発生していると判定されたときとで、共通の出力端子から前記セキュリティ信号を外部に出力する
　ことを特徴とする遊技機。」
第４　刊行物及び刊行物記載の発明
　（１）　刊行物１
　原査定の拒絶の理由において提示された、本願の出願遡及日前に頒布された刊行物である特開２００９−６１００３号公報（以下、「刊行物１」という。）には、図面と共に次の事項が記載されている（下線は審決にて付した。以下、同じ。）。
　（ア）　「【０００１】
　本発明は、
遊技球を用いて
遊技を行うことが可能な遊技機
【０００２】
　
遊技機として
遊技球
を
遊技領域に発射し
遊技領域に設けられている
入賞領域に
入賞すると、所定個の賞球が遊技者に払い出される
　（イ）　「【０００８】
　そこで、本発明は、
異常入賞の発生および遊技機の状態異常の発生など複数の異常が発生したことを外部装置に出力できるとともに、外部装置に情報を出力するための機構の部品数の増加や配線作業の複雑化を防ぐ
　（ウ）　「【０００９】
　本発明による遊技機は、遊技球を用いて所定の遊技を行うことが可能な遊技機であって、遊技球が進入可能な開放状態と遊技球が進入不可能な閉鎖状態とに変化可能な可変入賞装置（例えば、特別可変入賞球装置２０、可変入賞球装置１５）と、所定の開放条件が成立（例えば、特別図柄の可変表示結果が大当りとなって大当り遊技状態に移行したこと、普通図柄の可変表示結果が当りとなったこと）したときに可変入賞装置を閉鎖状態から開放状態に変化させる可変入賞装置制御手段（例えば、遊技制御用マイクロコンピュータ５６０におけるステップＳ１４７６を実行する部分。遊技制御用マイクロコンピュータ５６０におけるステップＳ４１７１を実行して可変入賞球装置１５を開放状態に制御する部分）と、可変入賞装置に進入した遊技球を検出して入賞検出信号を出力する入賞検出手段（例えば、カウントスイッチ２３、第２始動口スイッチ１４ａ）と、
可変入賞装置制御手段によって可変入賞装置が開放状態に制御されていないときに、入賞検出手段が入賞検出信号を出力したことにもとづいて、異常入賞が発生したと判定する異常入賞判定手段（例えば、遊技制御用マイクロコンピュータ５６０におけるステップＳ２５５〜Ｓ２５９，Ｓ２６３を実行する部分。ステップＳ２６７〜Ｓ２７１，Ｓ２７５を実行する部分）
異常入賞と異なる所定の異常状態（例えば、磁気異常、振動異常、異常開放）が発生したか否かを判定する異常状態判定手段（例えば、遊技制御用マイクロコンピュータ５６０におけるステップＳ２７９，Ｓ２８２，Ｓ２８５，Ｓ２８６，Ｓ２８９を実行する部分）
異常入賞判定手段によって異常入賞が発生したと判定されたことまたは異常状態判定手段によって所定の異常状態が発生したと判定されたことにもとづいて、遊技機の外部に設けられている外部装置に所定の異常信号を出力するための外部出力手段（例えば、遊技制御用マイクロコンピュータ５６０におけるステップＳ２６４，Ｓ２７６，２８１，Ｓ２８４，Ｓ２８８，Ｓ２９１，Ｓ１０６９〜Ｓ１０７４，Ｓ１１０２，Ｓ１１０３を実行する部分）
外部出力手段は、異常入賞判定手段によって異常入賞が発生したと判定されたときと異常状態判定手段によって所定の異常状態が発生したと判定されたときとで、
共通のコネクタＣＮ９を用いて異常信号をホールコンピュータに出力する
　（エ）　「【００４４】
　また、図１に示すように、可変入賞球装置１５の下方には、特別可変入賞球装置２０が設けられている。特別可変入賞球装置２０は開閉板を備え、
第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）において
入賞領域となる大入賞口が開放状態になる。
　（オ）　「【００６２】
　（１）
通常状態または時短状態のときに確変図柄（突然確変図柄を除く）で大当りになり、その大当り遊技が終了すると、遊技状態が通常状態または時短状態から確変状態に移行される。
　　
　（カ）　「【００７６】
　また、
ＲＡＭ５５は、
バックアップＲＡＭである。
少なくとも、遊技状態すなわち遊技制御手段の制御状態に応じたデータ
と未払出賞球数を示すデータは、バックアップＲＡＭに保存される。
　・・・　
【００７８】
　さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、
遊技制御用マイクロコンピュータ５６０の入力ポートには、ＲＡＭの内容をクリアすることを指示するためのクリアスイッチが操作されたことを示すクリア信号が入力される。
　（キ）　「【００７９】
　また、ゲートスイッチ３２ａ、第１始動口スイッチ１３ａ、第２始動口スイッチ１４ａ、カウントスイッチ２３、大入賞口内の磁気異常を検出する磁気センサ９０、遊技機の異常な振動状態を検出する振動センサ９１、大入賞口の開放状態を検出する開放検出センサ９２および入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。さらに、
ホールコンピュータ等の外部装置に接続された情報端子盤３４を介して、大当り遊技状態の発生を示す大当り情報等の情報出力信号（
賞球信号
）を外部装置に出力する情報出力回路６４も主基板３１に搭載されている。
　（ク）　「【００８６】
　
入賞口への遊技球の入賞があると、主基板３１の出力回路６７から、払出指令信号として、払い出すべき賞球個数を示す賞球個数信号（払出数データ）および賞球個数信号の取り込み（受信）を要求する賞球ＲＥＱ信号（取込要求信号）が出力（送信）される。
【００８７】　
　賞球ＲＥＱ信号および賞球個数信号は、入力回路３７３Ａを介してＩ／Ｏポート３７２ｅに入力される。
払出制御用マイクロコンピュータ３７０は、Ｉ／Ｏポート３７２ｅを介して賞球個数信号を入力すると、賞球個数信号が示す個数の遊技球を払い出すために球払出装置９７を駆動する制御を行う
　　
　（ケ）　「【０１１５】
　入力ポート２のビット０，１には、それぞれ、電源基板からの電源断信号およびクリアスイッチの検出信号（クリア信号）が入力される。電源断信号は、電源基板に搭載されている電源監視回路が所定電圧の低下を検出したときに出力する信号である。
クリアスイッチは遊技店員等が操作可能なスイッチあり、ＲＡＭ５５を初期化したいときに操作されるスイッチである。
　（コ）　「【０１３４】
　
遊技機に対して電源が投入され電力供給が開始されると、リセット信号が入力されるリセット端子の入力レベルがハイレベルになり、
ＣＰＵ５６
は、
メイン処理を開始
　・・・　
【０１３６】
　次いで、
ＣＰＵ５６は、
クリアスイッチ
の出力信号の状態を確認
その確認においてオンを検出した場合には、
通常の初期化処理を実行
【０１３７】
　クリアスイッチがオンの状態でない場合には、遊技機への電力供給が停止したときにバックアップＲＡＭ領域の
データ保護処理
が行われていないことを確認したら、ＣＰＵ５６は初期化処理を実行する。
【０１３８】
　電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、
電力供給の停止からの復旧時でない電源投入時に実行される初期化処理を実行する。
　・・・　
【０１４２】　
　
初期化処理では、
ＲＡＭクリア処理を行う
　（サ）　「【０４２５】　
　図６１は、情報端子盤に出力される各種信号を示すブロック図である。図６１に示すように、この実施の形態では、主基板３１に搭載されている
遊技制御用マイクロコンピュータ５６０から
賞球信号
が
出力される
　（シ）　「【０４３８】　
　図７１は、賞球個数カウントスイッチの賞球払出検出と賞球信号との関係を示す説明図である。図７１に示すように、
賞球払出時に払出個数カウントスイッチ３０１が１０個の遊技球の通過を検出する度に（具体的には、遊技制御用マイクロコンピュータ５６０に賞球カウント信号のパルスが１０回入力される度に）賞球信号（賞球情報信号）が０．１００秒間オン状態となる。
　（ス）　「【０７８６】　
　また、上記に示した実施の形態において、
主基板３１側でリセット信号が入力され初期化処理が実行されてバックアップＲＡＭがクリアされたときから所定期間にも、情報端子盤３４を介して、初期化が行われたことを示す信号を外部出力する
この場合、初期化処理が実行されたことにもとづいて、異常入賞や始動異常入賞、磁気異常、振動異常、異常開放が検出されたときに出力する異常信号と同じ信号を外部出力するようにしてもよい
リセット信号を不正に入力して初期化処理を実行させ
　（セ）　上記（コ）の段落【０１３４】の「
遊技機に対して電源が投入され電力供給が開始されると、リセット信号が入力されるリセット端子の入力レベルがハイレベルになり、
ＣＰＵ５６
は、
メイン処理を開始
ＣＰＵ５６は、
クリアスイッチ
の出力信号の状態を確認
その確認においてオンを検出した場合には、
通常の初期化処理を実行
初期化処理では、
ＲＡＭクリア処理を行う
　よって、刊行物１には、「遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６」が記載されていると認められる。
　（ソ）　上記（ク）の段落【００８６】の「
入賞口への遊技球の入賞があると、
賞球個数信号
が出力（送信）される
払出制御用マイクロコンピュータ３７０は、
賞球個数信号を入力すると、賞球個数信号が示す個数の遊技球を払い出すために球払出装置９７を駆動する制御を行う
　
　（タ）　上記（キ）の段落【００７９】の「
賞球信号
を外部装置に出力する
遊技制御用マイクロコンピュータ５６０から
賞球信号
が
出力される
賞球払出時に払出個数カウントスイッチ３０１が１０個の遊技球の通過を検出する度に
賞球信号
が０．１００秒間オン状態となる。
　　
　（チ）　上記（ス）の段落【０７８６】には、「・・・
主基板３１側でリセット信号が入力され初期化処理が実行されてバックアップＲＡＭがクリアされたときから所定期間にも、情報端子盤３４を介して、初期化が行われたことを示す信号を外部出力する
この場合、初期化処理が実行されたことにもとづいて、異常入賞や始動異常入賞、磁気異常、振動異常、異常開放が検出されたときに出力する異常信号と同じ信号を外部出力するようにしてもよい
　したがって、刊行物１には、「主基板３１側でリセット信号が入力され初期化処理が実行されてバックアップＲＡＭがクリアされたときから所定期間にも、情報端子盤３４を介して、異常信号と同じ信号を外部出力する」ことが記載されていると認められる。
　　
　（ツ）　上記（ウ）の【０００９】の「異常入賞判定手段によって異常入賞が発生したと判定されたことまたは前記異常状態判定手段によって所定の異常状態が発生したと判定されたことにもとづいて、遊技機の外部に設けられている外部装置に所定の異常信号を出力するための外部出力手段」との記載より、異常信号を外部出力するのは「外部出力手段」であるので、上記（ス）の段落【０７８６】の「主基板３１側でリセット信号が入力され初期化処理が実行されてバックアップＲＡＭがクリアされたときから所定期間にも、情報端子盤３４を介して、初期化が行われたことを示す信号を外部出力するようにしてもよい。この場合、初期化処理が実行されたことにもとづいて、異常入賞や始動異常入賞、磁気異常、振動異常、異常開放が検出されたときに出力する異常信号と同じ信号を外部出力するようにしてもよい」との記載において、「異常信号と同じ信号」を外部出力するのは、「外部出力手段」であるといえる。
　　
　（テ）　上記（ア）〜（ス）の記載事項及び上記（セ）〜（ツ）の認定事項から、刊行物１には以下の発明（以下、「刊行物１記載の発明」という。）が記載されていると認められる。ただし、記号ａ〜ｉは本願発明のＡ〜Ｉに対応させて付した。
　　
「ａ　遊技球を遊技領域に発射し、遊技領域に設けられている入賞領域に入賞すると、所定個の賞球が遊技者に払い出させる、遊技球を用いて遊技を行うことが可能な遊技機であって、（【０００１】、【０００２】）
　ｂ　少なくとも、遊技状態すなわち遊技制御手段の制御状態に応じたデータと未払出賞球数を示すデータを保存するＲＡＭ５５（【００７６】）と、
　ｃ　ＲＡＭ５５を初期化したいときに遊技店員等が操作可能なクリアスイッチであり、操作されたことを示すクリア信号が遊技制御用マイクロコンピュータ５６０の入力ポートに入力されるクリアスイッチ（【０１１５】、【００７８】）と、
　ｄ　遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６（認定事項（セ））と、
　ｅ　入賞口への遊技球の入賞があると、賞球個数信号が入力され、賞球個数信号が示す個数の遊技球を払い出すために球払出装置９７を駆動する制御を行う払出制御用マイクロコンピュータ３７０と、（認定事項（ソ））
　ｆ　賞球払出時に払出個数カウントスイッチ３０１が１０個の遊技球の通過を検出する度に賞球信号を外部装置に出力する遊技制御用マイクロコンピュータ５６０（認定事項（タ））と、
　ｇ　前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段と、当該遊技機において前記異常入賞と異なる所定の異常状態が発生したか否かを判定する異常状態判定手段（【０００９】）と、
　ｈ　主基板３１側でリセット信号が入力され初期化処理が実行されてバックアップＲＡＭがクリアされたときから所定期間に、情報端子盤３４を介して、異常信号と同じ信号を外部出力し（認定事項（チ）,（ツ））、
　前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段（【０００９】）とを備え、
　ｉ　外部出力手段は、異常入賞判定手段によって異常入賞が発生したと判定されたときと異常状態判定手段によって所定の異常状態が発生したと判定されたときとで、共通のコネクタＣＮ９を用いて異常信号をホールコンピュータに出力する（【０００９】）
　遊技機。」　
　　
　（２）　刊行物２　
　原査定の拒絶の理由において提示された、本願の出願遡及日前に頒布された刊行物である特開２００８−２６４２８０号公報（以下、「刊行物２」という。）には、次の事項が記載されている。
　ア　「【請求項１】
　
遊技媒体の払出しを行う払出手段
　前記
払出手段から払出されるべき遊技媒体の払出予定個数情報
前記払出手段から払出された遊技媒体の払出完了個数情報
　【請求項２】
　前記
払出予定個数情報に基づく信号を外部出力する予定個数情報出力手段と、
　前記
払出完了個数情報に基づく信号を外部出力する完了個数情報出力手段とを備えている
遊技機
　上記アの記載より、刊行物２には、以下の技術事項が記載されているといえる。
　　
　「遊技媒体の払出しを行う払出手段から払出されるべき遊技媒体の払出予定個数情報に基づく信号を外部出力する予定個数情報出力手段と、前記払出手段から払出された遊技媒体の払出完了個数情報に基づく信号を外部出力する完了個数情報出力手段とを備えている遊技機」
　　
　（３）　刊行物３　
　原査定の拒絶の理由において提示された、本願の出願遡及日前に頒布された刊行物である特開２００７−２４４５３２号公報（以下、「刊行物３」という。）には、図面と共に次の事項が記載されている。
　　
　（ア）　「【０００３】　
　近年、遊技機の仕様が多様化しており、収集する遊技機情報の数も増加している。収集する遊技機情報の数が増加すると、遊技機から台ユニットに出力する遊技機情報の数も増加する。
　前記した従来の遊技機情報収集装置では、遊技機から台ユニットに出力する遊技機情報の数に対応する数の遊技機情報出力端子を遊技機に、遊技機情報入力端子を台ユニットに設けている。このため、
収集する遊技機情報の数の増加にともなって、遊技機の遊技機情報出力端子と台ユニットの遊技機情報入力端子を接続する接続線の数が増加し、コストが増加するとともに、接続線を配線するための作業負担が増加する
　本発明は、
このような点に鑑みて創案されたものであり、収集する遊技機情報の数の増加に伴うコストの増加や接続線を配線するための作業負担の増加を抑制する
　（イ）　「【００２７】　
　従来の遊技機情報収集装置では、遊技機１０及び台ユニット２０に、遊技機１０から大ユニット２０に出力する遊技機情報の数に等しい数の遊技機情報出力端子及び遊技機情報入力端子を設けている。このため、遊技機１０から台ユニット２０に出力する遊技機情報の数が増加すると、遊技機１０の遊技機情報出力端子及び台ユニット２０の遊技機情報入力端子の数も増加し、コストが増加するとともに、接続線の配線作業負担が増加する。
　本実施の形態では、遊技機１０から台ユニット２０に出力する遊技機情報の数の増加に伴う遊技機の遊技機情報出力端子及び台ユニット（遊技機端末装置）の数の増加を抑制し、コストの増加及び接続線の配線作業負担の増加を抑制することができるように構成されている。
　すなわち、遊技機１０の遊技機情報出力手段を、
遊技機１０の複数の遊技機情報出力端子１０ａ〜１０ｍのうちの少なくとも一つの遊技機情報出力端子に、少なくとも第１の遊技機情報と第２の遊技機情報（複数の情報）を出力可能に構成し
　　
　（ウ）　「【００４６】　
　本発明は、実施の形態で説明した構成に限定されず、種々の変更、追加、削除が可能である。
　例えば、実施の形態では、普通図柄始動玉数情報、特別図柄始動玉数情報、普通図柄表示回数情報、特別図柄表示回数情報、変動パターン情報を共通の遊技機情報出力端子から出力する遊技機情報として選択した場合について説明したが、遊技機情報は、ガラス枠、機枠等の開放信号、磁石センサー、振動センサー等の出力でもよい。また、共通の遊技機情報出力端子から出力する遊技機情報としては、これ以外の種々の遊技機情報を選択することができる。
共通の遊技機情報出力端子から出力する複数の遊技機情報としては、出力頻度が少ない遊技機情報を選択する
　共通の遊技機情報出力端子から出力する遊技機情報は２つに限定されず、３以上であってもよい。
　共通の遊技機情報出力端子から出力する複数の遊技機情報の形式としては、実施の形態で説明した形式以外の種々の形式を用いることができる。
　遊技機、遊技機端末装置（台ユニット）、島ユニット、収集装置（収集管理装置）により遊技機情報収集装置を構成した場合について説明したが、遊技機端末装置により、あるいは遊技機端末装置と収集装置により遊技機情報収集装置を構成することもできる。遊技機に接続された遊技機端末装置により遊技機情報収集装置を構成する場合。遊技機端末装置に遊技機情報データベースを設け、収集した遊技機情報を遊技機情報データベースに記憶するように構成してもよい。
　また、遊技機端末装置は、収集した遊技機情報に基づいて、遊技機に設けられている呼出ランプの点灯制御等を実行するように構成することもできる。例えば、遊技機情報に基づいて特別図画当たり遊技が実行されることを判別、あるいは、異常を判別することにより、呼出ランプの点灯制御、点滅制御、点灯色の制御等を実行するように構成することができる。
　パチンコ機の遊技機情報を管理する遊技機情報管理装置について説明したが、本発明は、パチンコ機以外の種々の遊技機の遊技機情報管理装置として構成することできる。」　
　　
　上記（ア）〜（ウ）の記載より、刊行物３には、以下の技術事項が記載されているといえる。
　　
「複数の遊技機情報出力端子１０ａ〜１０ｍのうちの少なくとも一つの遊技機情報出力端子に、少なくとも第１の遊技機情報と第２の遊技機情報（複数の情報）を出力可能に構成し、共通の遊技機情報出力端子から出力する複数の遊技機情報としては、出力頻度が少ない遊技機情報を選択する遊技機１０。」
　　
第５　対比・判断
　１．　対比
　本願発明と刊行物１記載の発明とを分説に従い対比する（対比にあたっては、本願発明の構成Ａ〜Ｉと刊行物１記載の発明の構成ａ〜ｉについて、それぞれ（ａ）〜（ｉ）の見出を付けて行った。）。
　　
　（ａ）　刊行物１記載の発明の「遊技球を遊技領域に発射し、遊技領域に設けられている入賞領域に入賞すると、所定個の賞球が遊技者に払い出させる、遊技球を用いて遊技を行うことが可能な遊技機」は、入賞によって遊技者に払出が行われる遊技機であることから、遊技者が遊技を行うことで払出が行われるものということができ、本願発明の「遊技者が遊技を行うことが可能な遊技機」に相当する。
　　
　（ｂ）　刊行物１記載の発明の「遊技状態すなわち遊技制御手段の制御状態に応じたデータと未払出賞球数を示すデータ」は、本願発明の「制御を行う際に発生する変動データ」に相当する。
　したがって、刊行物１記載の発明の「少なくとも、遊技状態すなわち遊技制御手段の制御状態に応じたデータと未払出賞球数を示すデータを保存するＲＡＭ５５」は、本願発明の「制御を行う際に発生する変動データを記憶する変動データ記憶手段」に相当する。
　　
　（ｃ）　刊行物１記載の発明の「クリアスイッチ」は、「ＲＡＭ５５を初期化したいときに遊技店員等が操作」するものであるから、本願発明の「初期化操作手段」に相当し、刊行物１記載の発明において、クリアスイッチが操作されると遊技制御用マイクロコンピュータ５６０の入力ポートに入力される「クリア信号」は、クリアスイッチの操作に応じて出力されることは明らかであるから、本願発明の操作に応じて出力される「操作信号」に相当する。
　したがって、刊行物１記載の発明の「ＲＡＭ５５を初期化したいときに遊技店員等が操作可能なクリアスイッチであり、操作されたことを示すクリア信号が遊技制御用マイクロコンピュータ５６０の入力ポートに入力されるクリアスイッチ」は、本願発明の「操作に応じて操作信号を出力する初期化操作手段」に相当する。
　（ｄ）　上記（ｂ）、（ｃ）に記載したとおり、刊行物１記載の発明の「クリアスイッチ」、「クリア信号」、「ＲＡＭ５５」は、本願発明の「初期化操作手段」、「操作信号」、「変動データ記憶手段」にそれぞれ相当するので、刊行物１記載の発明の「「クリアスイッチの出力信号」の・・・オンを検出」することは、本願発明の「「初期化操作手段からの操作信号」が入力されたこと」に相当し、また、刊行物１記載の発明の「ＲＡＭ５５をクリアする」ことは、本願発明の「変動データ記憶手段の記憶内容を初期化する」ことに相当する。
　さらに、刊行物１記載の発明の「ＣＰＵ５６」は、初期化処理を実行し、ＲＡＭ５５をクリアするのであるから、本願発明の「初期化処理実行手段」の機能を有することは明らかである。
　　
　したがって、刊行物１記載の発明の「遊技機に対して電源が投入され電力供給が開始され、リセット信号が入力されるリセット端子の入力レベルがハイレベルになると、メイン処理を開始し、クリアスイッチの出力信号の状態を確認し、その確認においてオンを検出した場合には、通常の初期化処理を実行し、初期化処理では、ＲＡＭクリア処理を行いＲＡＭ５５をクリアするＣＰＵ５６」は、本願発明の「電力供給が開始されたときに、前記初期化操作手段からの前記操作信号が入力されたことにもとづいて、前記変動データ記憶手段の記憶内容を初期化する初期化処理を実行する初期化処理実行手段」に相当する。
　（ｅ）　刊行物１記載の発明において、「入賞口への遊技球の入賞があると」、「遊技球を払い出すため」の制御が行われることから、本願発明の「付与条件が成立したことにもとづいて、遊技媒体の付与を実行する」に相当する。
　したがって、刊行物１記載の発明の「入賞口への遊技球の入賞があると、賞球個数信号が入力され、賞球個数信号が示す個数の遊技球を払い出すために球払出装置９７を駆動する制御を行う払出制御用マイクロコンピュータ３７０」は、本願発明の「付与条件が成立したことにもとづいて、遊技媒体の付与を実行する付与実行手段」に相当する。
　　
　（ｆ）　刊行物１記載の発明の「賞球信号」は、遊技球が１０個払い出される度に外部装置に出力されるので、本願発明の付与済みの遊技媒体の数が特定数に達したことを示す「付与済信号」に相当する。
　したがって、刊行物１記載の発明の「賞球払出時に払出個数カウントスイッチ３０１が１０個の遊技球の通過を検出する度に賞球信号を外部装置に出力する遊技制御用マイクロコンピュータ５６０」と、本願発明の「前記付与条件が成立したときに、当該付与条件の成立により遊技媒体の付与予定数が所定数に達することを示す付与済信号を外部に出力するとともに、付与済みの遊技媒体の数が特定数に達することを示す付与済信号を外部に出力する信号外部出力手段」とは、「付与済みの遊技媒体の数が特定数に達したことを示す付与済信号を外部に出力する信号外部出力手段」という点で一致している。
　（ｇ）　刊行物１記載の発明の「「異常入賞」及び「異常入賞と異なる所定の異常状態」」は、本願発明の「所定のエラー」に相当する。
　したがって、刊行物１記載の発明の「前記可変入賞装置制御手段によって前記可変入賞装置が開放状態に制御されていないときに、前記入賞検出手段が前記入賞検出信号を出力したことにもとづいて、異常入賞が発生したと判定する異常入賞判定手段」及び「当該遊技機において前記異常入賞と異なる所定の異常状態が発生したか否かを判定する異常状態判定手段」は、本願発明の「所定のエラーが発生しているか否かを判定するエラー判定手段」に相当する。
　（ｈ）　刊行物１記載の発明の「「異常入賞判定手段」及び「異常状態判定手段」」、「「異常入賞」及び「所定の異常状態」」は、本願発明の「エラー判定手段」、「所定のエラー」にそれぞれ相当するので、刊行物１記載の発明の「前記異常入賞判定手段によって異常入賞が発生したと判定されたことまたは前記異常状態判定手段によって所定の異常状態が発生したと判定されたこと」にもとづいて出力される「異常信号」は、本願発明の「エラー判定手段によって所定のエラーが発生していると判定されたことを含む信号出力条件が成立したこと」にもとづいて出力される「セキュリティ信号」に相当する。
　そうすると、刊行物１記載の発明の「初期化処理」の実行にもとづいて出力される「異常信号と同じ信号」は、「異常信号」のことであるから、本願発明の「セキュリティ信号」に対応しているといえる。
　ただし、上記「第４　刊行物及び刊行物記載の発明」の（１）（ツ）に記載したとおり、刊行物１記載の発明の構成ｈにおける「初期化処理」は、クリアスイッチのオンが検出された場合の「初期化処理」である「初期化処理Ａ」、すなわち、本願発明の「前記初期化処理実行手段」により、「前記初期化操作手段からの前記操作信号が入力されたことにもとづいて」実行されるものであるか否かは不明である。
　したがって、刊行物１記載の発明の「主基板３１側でリセット信号が入力され、初期化処理が実行されてバックアップＲＡＭがクリアされたときから所定期間に、情報端子盤３４を介して、異常信号と同じ信号を外部出力し、前記異常入賞判定手段によって異常入賞が発生したと判定されたことまたは前記異常状態判定手段によって所定の異常状態が発生したと判定されたことにもとづいて、当該遊技機の外部に設けられている外部装置に所定の異常信号を出力するための外部出力手段」と、
　本願発明の「少なくとも、前記初期化処理実行手段によって前記初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段」とは、
　「少なくとも、初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段」という点で一致している。
　（ｉ）　刊行物１記載の発明の「外部出力手段」、「「異常入賞判定手段」及び「異常状態判定手段」」、「「異常入賞」及び「所定の異常状態」」、「異常信号」は、本願発明の「セキュリティ信号出力手段」、「エラー判定手段」、「所定のエラー」、「セキュリティ信号」にそれぞれ相当する。
　また、刊行物１記載の発明の「共通のコネクタＣＮ９」と本願発明の「共通の出力端子」は、所定のエラーが発生したと判定されたことに基づいて外部に出力されるセキュリティ信号を出力する端子である点で共通する。
　したがって、刊行物１記載の発明の「外部出力手段は、異常入賞判定手段によって異常入賞が発生したと判定されたときと異常状態判定手段によって所定の異常状態が発生したと判定されたときとで、共通のコネクタＣＮ９を用いて異常信号をホールコンピュータに出力する」ことは、
　本願発明の「前記セキュリティ信号外部出力手段は、前記初期化処理実行手段によって前記初期化処理が実行されたときと前記エラー判定手段によって前記所定のエラーが発生していると判定されたときとで、前記遊技機に設けられた共通の出力端子から前記セキュリティ信号を外部に出力する」ことと、
　「前記セキュリティ信号外部出力手段は、前記エラー判定手段によって前記所定のエラーが発生していると判定されたとき、前記遊技機に設けられた出力端子から前記セキュリティ信号を前記遊技機の外部に出力」する点で一致している。
　上記（ａ）〜（ｉ）より、本願発明と刊行物１記載の発明は次の点で一致している。
「Ａ　遊技者が遊技を行うことが可能な遊技機であって、
　Ｂ　制御を行う際に発生する変動データを記憶する変動データ記憶手段と、
　Ｃ　操作に応じて操作信号を出力する初期化操作手段と、
　Ｄ　電力供給が開始されたときに、前記初期化操作手段からの前記操作信号が入力されたことにもとづいて、前記変動データ記憶手段の記憶内容を初期化する初期化処理を実行する初期化処理実行手段と、
　Ｅ　付与条件が成立したことにもとづいて、遊技媒体の付与を実行する付与実行手段と、
　Ｆ’　付与済みの遊技媒体の数が特定数に達したことを示す付与済信号を外部に出力する信号外部出力手段と、
　Ｇ　所定のエラーが発生しているか否かを判定するエラー判定手段と、
　Ｈ’　少なくとも、初期化処理が実行されたこと、および前記エラー判定手段によって前記所定のエラーが発生していると判定されたことを含む所定の信号出力条件が成立したことにもとづいて、外部にセキュリティ信号を出力するセキュリティ信号外部出力手段とを備え、
　Ｉ’　前記セキュリティ信号外部出力手段は、前記エラー判定手段によって前記所定のエラーが発生していると判定されたとき、前記遊技機に設けられた出力端子から前記セキュリティ信号を前記遊技機の外部に出力する
　遊技機。」　
　　
　一方、本願発明と刊行物１記載の発明は、Ｆ’、Ｈ’、Ｉ’に関する次の点で相違している。
　（相違点１）
　信号外部出力手段に関して、本願発明は、付与条件が成立したときに、当該付与条件の成立により遊技媒体の付与予定数が所定数に達することを示す条件成立信号を外部に出力するのに対し、刊行物１記載の発明は、当該構成について特定されていない点。
　　
　（相違点２）
　初期化処理が実行されたことにもとづいて、外部にセキュリティ信号を出力するセキュリティ信号外部出力手段に関して、当該初期化処理が、本願発明では、「電力供給が開始されたときに、前記初期化操作手段からの前記操作信号が入力されたこと」にもとづくものであるのに対し、刊行物１記載の発明は、初期化操作手段の操作にもとづくものであるか否か不明である点。
　　
　（相違点３）
　本願発明は、前記初期化操作手段によって前記初期化処理が実行されたときと前記エラー判定手段によって前記所定のエラーが発生していると判定されたときとで、前記遊技機に設けられた「共通の出力端子」からセキュリティ信号を外部に出力するのに対し、刊行物１記載の発明は、初期化処理が実行されたときに出力されるセキュリティ信号を、前記エラー判定手段によってエラーが発生していると判定されたときと「共通の出力端子」から出力するか否か不明である点。
　
　２．　相違点に対する判断
　（１）　上記相違点１について検討する。
　刊行物２には、「払出予定個数情報に基づく信号を外部出力する予定個数情報出力手段と、払出完了個数情報に基づく信号を外部出力する完了個数情報出力手段とを備えている遊技機」という技術事項が記載されている。
　そして、刊行物１記載の発明と刊行物２記載の事項は、ともに遊技球が払い出されたときに外部に払い出されたことを示す信号を出力するものであり、刊行物２は、遊技球が払い出されたときに外部に払い出されたことを示す信号である払出完了個数情報に基づく信号に加えて、所定数の遊技球が払出予定であることを示す信号である払出予定個数情報に基づく信号を外部に出力するものであるから、刊行物１に刊行物２に記載の上記技術事項を適用して、「入賞口への遊技球の入賞があると、入賞により所定数の遊技媒体が払出予定であることを示す信号を外部に出力する」ようにして、上記相違点１に係る本願発明の構成とすることは、当業者であれば容易に想到し得たことである。
　　
　（２）　相違点２、３は関連しているので、まとめて検討する。
　（２−１）　刊行物１の段落【０７８６】には、「
初期化処理が実行されたことにもとづいて、異常入賞や始動異常入賞、磁気異常、振動異常、異常開放が検出されたときに出力する異常信号と同じ信号を外部出力するようにしてもよい
　ここで、異常入賞や始動異常入賞、磁気異常、振動異常、異常開放はいずれも遊技機に対する不正の可能性がある事象であるから、異常信号は、その種類を問わず、不正が行われた可能性があることを示す信号であるといえる。
　また、刊行物１の段落【０７８６】に記載されている「
リセット信号を不正に入力して初期化処理を実行させ
　したがって、刊行物１記載の発明は、不正が行われた可能性がある、バックアップＲＡＭをクリアする初期化処理が実行されたことに基づいて出力する信号は、同じく不正が行われた可能性がある、異常入賞が発生したと判定されたことに基づいて出力する異常信号と同じ信号であるといえる。
　（２−２）　ここで、刊行物１記載の発明における「バックアップＲＡＭをクリアする初期化処理」は、主基板におけるＣＰＵが実行するメイン処理を示すフローチャートである【図１２】に示され、また、上記「第３　刊行物及び刊行物記載の発明」の記載のうち、「（１）　刊行物１」における（チ）で示したとおり、「クリアスイッチのオンが検出された場合」に実行される「初期化処理Ａ」（本願発明の「前記初期化操作手段からの前記操作信号が入力されたこと」にもとづく「初期化処理」に相当）のみならず、「初期化処理Ｂ」すなわちデータ保護処理が行われていない場合の「初期化処理」、及び「初期化処理Ｃ」すなわち電力供給の停止からの復旧時でない電源投入時に実行される「初期化処理」においても実行される共通の処理である。
　そうすると、クリアスイッチのオンが検出された場合に実行される初期化処理Ａを含む初期化処理Ａ〜Ｃにおいては共通の処理としてバックアップＲＡＭがクリアされるのであるから、バックアップＲＡＭをクリアする初期化処理が実行されたことにもとづく異常信号と同じ信号（本願発明の「セキュリティ信号」に相当）を、クリアスイッチのオンが検出された場合に実行される初期化処理Ａを含む初期化処理Ａ〜Ｃのいずれが実行されたときに出力するようにすることで、初期化処理Ａを行う場合、初期化操作手段の操作による初期化処理に基づいてセキュリティ信号を外部に出力するようにして、上記相違点２に係る本願発明の構成とすることは、当業者であれば適宜なし得た単なる設計的事項である。
　（２−３）　また、刊行物１記載の発明は、「
異常入賞の発生および遊技機の状態異常の発生など複数の異常が発生したことを外部装置に出力できるとともに、外部装置に情報を出力するための機構の部品数の増加や配線作業の複雑化を防ぐ
　ここで、刊行物３には、「複数の遊技機情報出力端子１０ａ〜１０ｍのうちの少なくとも一つの遊技機情報出力端子に、少なくとも第１の遊技機情報と第２の遊技機情報（複数の情報）を出力可能に構成し、共通の遊技機情報出力端子から出力する複数の遊技機情報としては、出力頻度が少ない遊技機情報を選択する遊技機１０。」という技術事項が記載されており、これにより、「収集する遊技機情報の数の増加に伴うコストの増加や接続線を配線するための作業負担の増加を抑制する」（上記「第３　刊行物及び刊行物記載の発明」の記載のうち「（３）　刊行物３」における（ア）の記載、すなわち刊行物３の【０００３】の記載を参照）という課題を解決するものである。
　そして、刊行物１記載の発明の「部品数の増加や配線作業の複雑化を防ぐ」という課題を考慮し、また、同様の課題を解決するために、遊技機の共通の遊技機情報出力端子から出力頻度が少ない複数の情報を出力可能とするという刊行物３に記載の技術事項を参照すれば、刊行物１記載の発明において、「初期化処理Ａ」が実行された場合に出力される異常信号と同じ信号も、異常が発生していると判定されたときに信号を出力するコネクタＣＮ９から出力することで、エラーが発生していると判定されたときと「共通の端子」から出力する構成とし、上記相違点３に係る本願発明の構成とすることは、当業者が容易になし得たことである。
　　
　（２−４）　加えて、本願の出願遡及日である平成２２年７月２７日より前の周知の事項を考慮した場合の上記相違点２、３に係る構成について以下に検討する。
　遊技機の技術分野において、電力供給が開始されたときに、初期化操作手段の操作により、記憶手段の記憶内容が初期化されたことにもとづいて、異常（エラー）が発生したときと同じ信号をホールコンピュータに出力すること、すなわち、所定のスイッチを操作して遊技機を初期化したときに、異常（エラー）が発生したときと同じ信号を、１本の信号線を用いて外部に出力することは、本願の遡及日前における周知技術である（以下、「周知の技術事項」という。例えば、特開２００７−１４３８８３号公報の段落【００２９】、【００３６】、【００４３】〜【００４６】、【００６３】〜【００６８】には、ＲＡＭクリアスイッチを操作しながら電源を投入し、ＲＡＭクリアをしたことを「報知レベル０」とし、下皿満タン、各種コネクタの抜けや断線、扉開放等の異常を「報知レベル１」とし、遊技機に対する加振を「報知レベル２」とし、異物挿入等による不正行為を「報知レベル３」とし、「報知レベル０」と「報知レベル１」を合わせて報知レベル１の異常情報として、主制御基板３００からホールコンピュータ１０に出力すること、及び、報知レベル０〜３の異常情報を１本の通信線によりホールコンピュータに出力することが記載されている）。
　　
　（２−５）　そして、刊行物１記載の発明において、上記周知の技術事項を参照すれば、電力供給が開始され、初期化操作手段の操作により記憶手段の記憶内容が初期化されたときについても、バックアップＲＡＭをクリアする初期化処理が実行されたときと同様に、異常入賞が発生したと判定されたことにもとづいて出力される「異常信号」（本願発明の「セキュリティ信号」に相当）を外部に出力することは、当業者の通常の創作範囲内のことであるから、初期化操作手段の操作により初期化されたときにも「異常信号」を外部に出力して、上記相違点２に係る本願発明の構成とすることは、当業者が適宜なし得たものであることは明らかである。
　さらに、この場合においても、「
異常入賞の発生および遊技機の状態異常の発生など複数の異常が発生したことを外部装置に出力できるとともに、外部装置に情報を出力するための機構の部品数の増加や配線作業の複雑化を防ぐ
　また、本願発明の効果は、刊行物１記載の発明から予測される範囲内のものにすぎず、格別なものではない。
　３．　請求人の主張
　請求人は、平成２９年５月２３日付け審判請求書の「（４）本願発明と引用文献に記載された発明との比較」の「（４−１）請求項１に関して」において、「すなわち、本願発明では、上記の（ｉ）の構成要素を備えることによって、（１日に１回しかない）初期化処理が実行されたときと所定のエラーが発生したと判定されたときとで、遊技機に設けられた共通の出力端子から遊技機状態信号を出力する。そのような構成を備えることによって、本願発明は、信号が出力された意味を認識可能としつつ、１日に１回しか出力しない信号のために端子を設ける無駄を防止することができるという引用文献１〜３に記載された発明にはない顕著な効果を奏するものとなっている。」と主張するが、上記「２．相違点についての判断」での検討、とりわけ（２−２）の検討のとおり、請求人が１日に１回しかないと説明するクリアスイッチのオンが検出されることによる初期化処理の実行時に、異常信号と同じ信号を、各種異常が発生したときに異常信号を送信するのと「共通の出力端子」から出力することは、当業者であれば容易になし得たことである。
　よって、請求人の主張は採用することができない。　　
　４．　小括
　以上のとおりであるから、刊行物２，３記載の事項を刊行物１記載の発明に適用することで、上記相違点１−３に係る本願発明の構成とすることは当業者が容易になし得たものである。
　　
第６　むすび　
　以上のとおりであるから、本願発明は、当業者が刊行物１記載の発明、及び刊行物２−３に記載された事項、または、刊行物１記載の発明、刊行物２−３に記載された事項及び周知の技術事項にもとづいて容易に発明をすることができたものであるから、特許法第２９条第２項の規定により特許を受けることができない。
　したがって、本願は、拒絶されるべきものである。
　よって、結論のとおり審決する。